【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記検知手段は、
前記水の通過によって回転する回転子と、
前記回転子に内包される磁石と、
前記回転子の回転による前記磁石の磁気変化に基づいて、水流の有無とその流量とのうちの少なくとも一方を検知する磁気検知部とを含んでおり、
前記駆動ユニットは、前記電圧発生部にて発生する電圧の前記電極への印加を制御する制御部をさらに含み、
前記制御部は、前記磁気検知部が前記水流を検知したときに、前記電圧を前記電極に印加させることを特徴とする抗菌処理装置。
【請求項２】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記検知手段は、
前記水の通過によって回転する回転子と、
前記回転子に内包される磁石と、
前記回転子の回転による前記磁石の磁気変化に基づいて、水流の有無とその流量とのうちの少なくとも一方を検知する磁気検知部とを含んでおり、
前記駆動ユニットは、前記電圧発生部にて発生する電圧の前記電極への印加を制御する制御部をさらに含み、
前記制御部は、前記磁気検知部が前記流量を検知したときに、その検知した流量に応じて、前記電極に印加する電圧または前記電極に流す電流を変化させることを特徴とする抗菌処理装置。
【請求項３】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記駆動ユニットは、
金属イオン濃度を設定するための濃度設定部と、
前記濃度設定部にて設定された濃度に応じて、前記電圧発生部にて発生する電圧を変更し、それを前記イオン溶出ユニットの電極に印加させる制御を行う制御部とをさらに含んでいることを特徴とする抗菌処理装置。
【請求項４】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記駆動ユニットは、
給水装置への給水水量を設定するための給水水量設定部と、
前記給水水量設定部にて設定された給水水量に応じて、前記電圧発生部にて発生した電圧の、前記イオン溶出ユニットの電極への印加時間を変更する制御を行う制御部とをさらに含んでいることを特徴とする抗菌処理装置。
【請求項５】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、
その運転状態を表示する状態表示部と、
前記イオン溶出ユニットにおける金属イオンの溶出回数をカウントする溶出回数カウント部と、
金属イオンの溶出回数が所定値を超えたときに、前記状態表示部を点滅表示させる制御を行う制御部とをさらに含んでいることを特徴とする抗菌処理装置。
【請求項６】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記駆動ユニットは、
前記検知手段での水量有無の検知に基づいて、前記イオン溶出ユニットから給水装置への給水回数をカウントする給水回数カウント部と、
前記給水回数カウント部にてカウントした給水回数が、金属イオンの溶出が必要となる時期に対応する回数となった以降に、前記電圧発生部にて発生した電圧を、前記イオン溶出ユニットの電極に印加する制御を行う制御部とをさらに含んでいることを特徴とする抗菌処理装置。
【請求項７】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記駆動ユニットは、
前記検知手段での水量有無の検知に基づいて、前記イオン溶出ユニットから給水装置への給水回数をカウントする給水回数カウント部と、
前記イオン溶出ユニットの電極からの金属イオンの溶出を開始させる給水回数を設定するための溶出開始給水回数設定部と、
前記給水回数カウント部にてカウントされた給水回数が、前記溶出開始給水回数設定部にて設定された給水回数に達したときに、前記電圧発生部にて発生した電圧を、前記イオン溶出ユニットの電極に印加させる制御を行う制御部とをさらに含んでいることを特徴とする抗菌処理装置。
【請求項８】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記駆動ユニットは、
前記検知手段での水量有無の検知に基づいて、前記イオン溶出ユニットから給水装置への給水回数をカウントする給水回数カウント部と、
前記イオン溶出ユニットの電極からの金属イオンの溶出を開始させる給水回数を設定するための溶出開始給水回数設定部と、
前記給水回数カウント部にてカウントされた給水回数が、前記溶出開始給水回数設定部にて設定された給水回数に達したときに、前記電圧発生部にて発生した電圧を、前記イオン溶出ユニットの電極に印加させる制御を行う制御部とをさらに含んでおり、
前記制御部は、前記給水回数カウント部にてカウントされた給水回数が、前記溶出開始給水回数設定部にて設定された給水回数に達した以降も継続して、前記電圧発生部にて発生した電圧を、前記イオン溶出ユニットの電極に印加させることを特徴とする抗菌処理装置。
【請求項９】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記駆動ユニットは、
給水装置への金属イオン添加水の供給が必要となる給水タイミングを予め記憶する記憶手段と、
前記記憶手段に記憶された給水タイミングに合わせて、前記電圧発生部にて発生する電圧を、前記イオン溶出ユニットの電極に印加させる制御を行う制御部とをさらに含んでいることを特徴とする抗菌処理装置。
【請求項１０】
給水装置によって給水対象に供給される水に添加する金属イオンを発生するイオン発生部を含む抗菌処理装置であって、
前記イオン発生部は、前記給水装置の外部であって、前記給水装置への水の供給路に、当該供給路に対して取り外し自在に設置され、
前記イオン発生部は、電極を内包し、前記水が内部を流れるユニット本体を有するイオン溶出ユニットで構成されており、
前記イオン溶出ユニットを駆動する駆動ユニットをさらに含み、
前記駆動ユニットは、前記イオン溶出ユニットの前記電極に印加する電圧を発生させる電圧発生部を含んでおり、
前記イオン溶出ユニットは、前記ユニット本体内部の水流の有無とその流量とのうちの少なくとも一方を検知する検知手段をさらに含んでおり、
前記検知手段は、
水の流れに応じて移動する移動体と、
前記移動体に内包される磁石と、
前記移動体が移動する位置にて前記磁石の磁気を検知することにより、水流の有無を検知する磁気検知部とを含んでおり、
前記駆動ユニットは、前記電圧発生部にて発生する電圧の前記電極への印加を制御する制御部をさらに含み、
前記制御部は、前記磁気検知部が前記水流を検知したときに、前記電圧を前記電極に印加させることを特徴とする抗菌処理装置。
【請求項１１】
前記イオン溶出ユニットは、
前記ユニット本体を、水道の蛇口から供給される水が流れる第１のホースまたは前記蛇口と接続するための第１接続部と、
前記ユニット本体を、前記給水装置に供給される水が流れる第２のホースまたは前記給水装置と接続する第２接続部とをさらに含んでいることを特徴とする請求項１から１０のいずれかに記載の抗菌処理装置。
【請求項１２】
前記電極は、前記ユニット本体と一体成形されていることを特徴とする請求項１から１１のいずれかに記載の抗菌処理装置。
【請求項１３】
前記ユニット本体は、前記水の流入方向とは異なる方向に水が流出する形状で形成されていることを特徴とする請求項１から１２のいずれかに記載の抗菌処理装置。
【請求項１４】
前記検知手段は、前記ユニット本体に対して分離可能に設けられていることを特徴とする請求項１、２、６、７、８または１０に記載の抗菌処理装置。
【請求項１５】
前記駆動ユニットは、前記給水装置の外部に、取り外し自在に配置されることを特徴とする請求項１から１４のいずれかに記載の抗菌処理装置。
【請求項１６】
前記給水装置は、前記給水対象としての洗濯物に水を給水する洗濯機であることを特徴とする請求項１から１５のいずれかに記載の抗菌処置装置。
【請求項１７】
前記ユニット本体は、内部を流れる水が鉛直方向に対して傾斜して流れるように配置されていることを特徴とする請求項１から１６のいずれかに記載の抗菌処理装置。
【請求項１８】
前記イオン溶出ユニットは、前記ユニット本体からの水の流出方向を変化させる流出方向可変部をさらに含んでいることを特徴とする請求項１から１２のいずれかに記載の抗菌処理装置。
【請求項１９】
前記イオン溶出ユニットは、前記ユニット本体内の電極よりも流水方向の上流側に設けられ、水中の不純物を除去する第１のフィルタをさらに含んでいることを特徴とする請求項１から１８のいずれかに記載の抗菌処理装置。
【請求項２０】
前記イオン溶出ユニットは、前記ユニット本体内の電極よりも流水方向の下流側に設けられ、水中の不純物を除去する第２のフィルタをさらに含んでいることを特徴とする請求項１から１９のいずれかに記載の抗菌処理装置。
【請求項２１】
前記駆動ユニットは、
その運転状態を表示する状態表示部と、
前記イオン溶出ユニットでの金属イオンの溶出に支障をきたす異常事態が生じたときに、電源が切れるまで前記状態表示部を点滅表示させ続ける制御を行う制御部とをさらに含んでいることを特徴とする請求項１から２０のいずれかに記載の抗菌処理装置。
【請求項２２】
前記第１接続部と前記第２接続部とのうちの少なくとも一方は、前記ユニット本体に対して分離可能に設けられていることを特徴とする請求項１１に記載の抗菌処理装置。
【請求項２３】
前記駆動ユニットは、前記電圧発生部から前記イオン溶出ユニットの電極に電圧を印加し始めてから所定時間経過後に、前記電極への電圧印加を停止させる制御を行う制御部をさらに含んでいることを特徴とする請求項１から２２のいずれかに記載の抗菌処理装置。
【請求項２４】
前記駆動ユニットは、前記イオン溶出ユニットの電極の抵抗に応じて、前記電圧発生部にて発生する電圧を変化させる変圧回路をさらに含んでいることを特徴とする請求項１から２３のいずれかに記載の抗菌処理装置。
【手続補正２】
【補正対象書類名】明細書
【補正対象項目名】００１４
【補正方法】変更
【補正の内容】
【００１４】
（１）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記検知手段は、前記水の通過によって回転する回転子と、前記回転子に内包される磁石と、前記回転子の回転による前記磁石の磁気変化に基づいて、水流の有無とその流量とのうちの少なくとも一方を検知する磁気検知部とを含んでおり、前記駆動ユニットは、前記電圧発生部にて発生する電圧の前記電極への印加を制御する制御部をさらに含み、前記制御部は、前記磁気検知部が前記水流を検知したときに、前記電圧を前記電極に印加させることを特徴としている。
【手続補正３】
【補正対象書類名】明細書
【補正対象項目名】００１５
【補正方法】変更
【補正の内容】
【００１５】
（２）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記検知手段は、前記水の通過によって回転する回転子と、前記回転子に内包される磁石と、前記回転子の回転による前記磁石の磁気変化に基づいて、水流の有無とその流量とのうちの少なくとも一方を検知する磁気検知部とを含んでおり、前記駆動ユニットは、前記電圧発生部にて発生する電圧の前記電極への印加を制御する制御部をさらに含み、前記制御部は、前記磁気検知部が前記流量を検知したときに、その検知した流量に応じて、前記電極に印加する電圧または前記電極に流す電流を変化させることを特徴としている。
【手続補正４】
【補正対象書類名】明細書
【補正対象項目名】００１６
【補正方法】変更
【補正の内容】
【００１６】
（３）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記駆動ユニットは、金属イオン濃度を設定するための濃度設定部と、前記濃度設定部にて設定された濃度に応じて、前記電圧発生部にて発生する電圧を変更し、それを前記イオン溶出ユニットの電極に印加させる制御を行う制御部とをさらに含んでいることを特徴としている。
【手続補正５】
【補正対象書類名】明細書
【補正対象項目名】００１７
【補正方法】変更
【補正の内容】
【００１７】
（４）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記駆動ユニットは、給水装置への給水水量を設定するための給水水量設定部と、前記給水水量設定部にて設定された給水水量に応じて、前記電圧発生部にて発生した電圧の、前記イオン溶出ユニットの電極への印加時間を変更する制御を行う制御部とをさらに含んでいることを特徴としている。
【手続補正６】
【補正対象書類名】明細書
【補正対象項目名】００１８
【補正方法】変更
【補正の内容】
【００１８】
（５）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、その運転状態を表示する状態表示部と、前記イオン溶出ユニットにおける金属イオンの溶出回数をカウントする溶出回数カウント部と、金属イオンの溶出回数が所定値を超えたときに、前記状態表示部を点滅表示させる制御を行う制御部とをさらに含んでいることを特徴としている。
【手続補正７】
【補正対象書類名】明細書
【補正対象項目名】００１９
【補正方法】変更
【補正の内容】
【００１９】
（６）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記駆動ユニットは、前記検知手段での水量有無の検知に基づいて、前記イオン溶出ユニットから給水装置への給水回数をカウントする給水回数カウント部と、前記給水回数カウント部にてカウントした給水回数が、金属イオンの溶出が必要となる時期に対応する回数となった以降に、前記電圧発生部にて発生した電圧を、前記イオン溶出ユニットの電極に印加する制御を行う制御部とをさらに含んでいることを特徴としている。
【手続補正８】
【補正対象書類名】明細書
【補正対象項目名】００２０
【補正方法】変更
【補正の内容】
【００２０】
（７）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記駆動ユニットは、前記検知手段での水量有無の検知に基づいて、前記イオン溶出ユニットから給水装置への給水回数をカウントする給水回数カウント部と、前記イオン溶出ユニットの電極からの金属イオンの溶出を開始させる給水回数を設定するための溶出開始給水回数設定部と、前記給水回数カウント部にてカウントされた給水回数が、前記溶出開始給水回数設定部にて設定された給水回数に達したときに、前記電圧発生部にて発生した電圧を、前記イオン溶出ユニットの電極に印加させる制御を行う制御部とをさらに含んでいることを特徴としている。
【手続補正９】
【補正対象書類名】明細書
【補正対象項目名】００２１
【補正方法】変更
【補正の内容】
【００２１】
（８）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記駆動ユニットは、前記検知手段での水量有無の検知に基づいて、前記イオン溶出ユニットから給水装置への給水回数をカウントする給水回数カウント部と、前記イオン溶出ユニットの電極からの金属イオンの溶出を開始させる給水回数を設定するための溶出開始給水回数設定部と、前記給水回数カウント部にてカウントされた給水回数が、前記溶出開始給水回数設定部にて設定された給水回数に達したときに、前記電圧発生部にて発生した電圧を、前記イオン溶出ユニットの電極に印加させる制御を行う制御部とをさらに含んでおり、前記制御部は、前記給水回数カウント部にてカウントされた給水回数が、前記溶出開始給水回数設定部にて設定された給水回数に達した以降も継続して、前記電圧発生部にて発生した電圧を、前記イオン溶出ユニットの電極に印加させることを特徴としている。
【手続補正１０】
【補正対象書類名】明細書
【補正対象項目名】００２２
【補正方法】変更
【補正の内容】
【００２２】
（９）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記駆動ユニットは、給水装置への金属イオン添加水の供給が必要となる給水タイミングを予め記憶する記憶手段と、前記記憶手段に記憶された給水タイミングに合わせて、前記電圧発生部にて発生する電圧を、前記イオン溶出ユニットの電極に印加させる制御を行う制御部とをさらに含んでいることを特徴としている。
【手続補正１１】
【補正対象書類名】明細書
【補正対象項目名】００２３
【補正方法】変更
【補正の内容】
【００２３】
（１０）本発明は、給水装置によって給水対象に供給される水に添加する金属イオンを発生するイオン発生部を含む抗菌処理装置であって、前記イオン発生部は、前記給水装置の外部であって、前記給水装置への水の供給路に、当該供給路に対して取り外し自在に設置され、前記イオン発生部は、電極を内包し、前記水が内部を流れるユニット本体を有するイオン溶出ユニットで構成されており、前記イオン溶出ユニットを駆動する駆動ユニットをさらに含み、前記駆動ユニットは、前記イオン溶出ユニットの前記電極に印加する電圧を発生させる電圧発生部を含んでおり、前記イオン溶出ユニットは、前記ユニット本体内部の水流の有無とその流量とのうちの少なくとも一方を検知する検知手段をさらに含んでおり、前記検知手段は、水の流れに応じて移動する移動体と、前記移動体に内包される磁石と、前記移動体が移動する位置にて前記磁石の磁気を検知することにより、水流の有無を検知する磁気検知部とを含んでおり、前記駆動ユニットは、前記電圧発生部にて発生する電圧の前記電極への印加を制御する制御部をさらに含み、前記制御部は、前記磁気検知部が前記水流を検知したときに、前記電圧を前記電極に印加させることを特徴としている。
【手続補正１２】
【補正対象書類名】明細書
【補正対象項目名】００２４
【補正方法】変更
【補正の内容】
【００２４】
（１１）本発明において、前記イオン溶出ユニットは、前記ユニット本体を、水道の蛇口から供給される水が流れる第１のホースまたは前記蛇口と接続するための第１接続部と、前記ユニット本体を、前記給水装置に供給される水が流れる第２のホースまたは前記給水装置と接続する第２接続部とをさらに含んでいてもよい。
【手続補正１３】
【補正対象書類名】明細書
【補正対象項目名】００２５
【補正方法】変更
【補正の内容】
【００２５】
（１２）本発明において、前記電極は、前記ユニット本体と一体成形されていてもよい。
【手続補正１４】
【補正対象書類名】明細書
【補正対象項目名】００２６
【補正方法】変更
【補正の内容】
【００２６】
（１３）本発明において、前記ユニット本体は、前記水の流入方向とは異なる方向に水が流出する形状で形成されていてもよい。
【手続補正１５】
【補正対象書類名】明細書
【補正対象項目名】００２７
【補正方法】変更
【補正の内容】
【００２７】
（１４）本発明において、前記検知手段は、前記ユニット本体に対して分離可能に設けられていてもよい。
【手続補正１６】
【補正対象書類名】明細書
【補正対象項目名】００２８
【補正方法】変更
【補正の内容】
【００２８】
（１５）本発明において、前記駆動ユニットは、前記給水装置の外部に、取り外し自在に配置されていてもよい。
【手続補正１７】
【補正対象書類名】明細書
【補正対象項目名】００２９
【補正方法】変更
【補正の内容】
【００２９】
（１６）本発明において、前記給水装置は、前記給水対象としての洗濯物に水を給水する洗濯機であってもよい。
【手続補正１８】
【補正対象書類名】明細書
【補正対象項目名】００３０
【補正方法】変更
【補正の内容】
【００３０】
（１７）本発明において、前記ユニット本体は、内部を流れる水が鉛直方向に対して傾斜して流れるように配置されていてもよい。
【手続補正１９】
【補正対象書類名】明細書
【補正対象項目名】００３１
【補正方法】変更
【補正の内容】
【００３１】
（１８）本発明において、前記イオン溶出ユニットは、前記ユニット本体からの水の流出方向を変化させる流出方向可変部をさらに含んでいてもよい。
【手続補正２０】
【補正対象書類名】明細書
【補正対象項目名】００３２
【補正方法】変更
【補正の内容】
【００３２】
（１９）本発明において、前記イオン溶出ユニットは、前記ユニット本体内の電極よりも流水方向の上流側に設けられ、水中の不純物を除去する第１のフィルタをさらに含んでいてもよい。
【手続補正２１】
【補正対象書類名】明細書
【補正対象項目名】００３３
【補正方法】変更
【補正の内容】
【００３３】
（２０）本発明において、前記イオン溶出ユニットは、前記ユニット本体内の電極よりも流水方向の下流側に設けられ、水中の不純物を除去する第２のフィルタをさらに含んでいてもよい。
【手続補正２２】
【補正対象書類名】明細書
【補正対象項目名】００３４
【補正方法】変更
【補正の内容】
【００３４】
（２１）本発明において、前記駆動ユニットは、その運転状態を表示する状態表示部と、前記イオン溶出ユニットでの金属イオンの溶出に支障をきたす異常事態が生じたときに、電源が切れるまで前記状態表示部を点滅表示させ続ける制御を行う制御部とをさらに含んでいてもよい。
【手続補正２３】
【補正対象書類名】明細書
【補正対象項目名】００３５
【補正方法】変更
【補正の内容】
【００３５】
（２２）本発明において、前記第１接続部と前記第２接続部とのうちの少なくとも一方は、前記ユニット本体に対して分離可能に設けられていてもよい。
【手続補正２４】
【補正対象書類名】明細書
【補正対象項目名】００３６
【補正方法】変更
【補正の内容】
【００３６】
（２３）本発明において、前記駆動ユニットは、前記電圧発生部から前記イオン溶出ユニットの電極に電圧を印加し始めてから所定時間経過後に、前記電極への電圧印加を停止させる制御を行う制御部をさらに含んでいてもよい。
【手続補正２５】
【補正対象書類名】明細書
【補正対象項目名】００３７
【補正方法】変更
【補正の内容】
【００３７】
（２４）本発明において、前記駆動ユニットは、前記イオン溶出ユニットの電極の抵抗に応じて、前記電圧発生部にて発生する電圧を変化させる変圧回路をさらに含んでいてもよい。
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】
【手続補正４７】
【補正対象書類名】明細書
【補正対象項目名】００５９
【補正方法】削除
【補正の内容】
【手続補正４８】
【補正対象書類名】明細書
【補正対象項目名】００６０
【補正方法】削除
【補正の内容】
【手続補正４９】
【補正対象書類名】明細書
【補正対象項目名】００６１
【補正方法】変更
【補正の内容】
【００６１】
以下、本発明の実施形態を図に基づき説明する。最初に、図１〜図９に基づき、本発明の前提となる構成について説明する。
【手続補正５０】
【補正対象書類名】明細書
【補正対象項目名】０１４８
【補正方法】変更
【補正の内容】
【０１４８】
上述したイオン溶出ユニット１００は、以下のように構成することもできる。図１０はイオン溶出ユニット１００の垂直断面図である。
【手続補正５１】
【補正対象書類名】明細書
【補正対象項目名】０１４９
【補正方法】変更
【補正の内容】
【０１４９】
イオン溶出ユニット１００のケース１１０には、その一端に格子状の通水口１１０ａが設けられている。「流入口」「流出口」と機能分化した開口は設けられていない。通水口１１０ａの個々の開口は、指などが電極１１３、１１４に触れることのないようにその大きさを設定する。ケース１１０の側面にはフック１１０ｂが一体成形されている。防水キャップ１１８の内部には水が浸入しないようになっており、イオン溶出ユニット１００をそっくり水没させることができる。
【手続補正５２】
【補正対象書類名】明細書
【補正対象項目名】０１５２
【補正方法】変更
【補正の内容】
【０１５２】
図１０に示すイオン溶出ユニット１００はケース１１０を水没させ、通水口１１０ａよりケース１１０内に水を導入して電極１１３、１１４を水に浸し、金属イオンの溶出を行うものであるから、イオン溶出ユニット１００を取り付けたり保持したりする特別な構造を洗濯機１に設ける必要がない。イオン溶出ユニット１００に給水ホース１８０を接続する必要もない。
【手続補正５３】
【補正対象書類名】明細書
【補正対象項目名】０１５６
【補正方法】変更
【補正の内容】
【０１５６】
イオン溶出ユニット１００の電源ユニット１０１を電池で駆動するものとすれば、抗菌処理装置は完全な携帯性を獲得する。そのため、野外活動の場に持参して衣類その他を抗菌処理することが可能になるなど、用途が拡大する。
【手続補正５４】
【補正対象書類名】明細書
【補正対象項目名】０１５７
【補正方法】変更
【補正の内容】
【０１５７】
水量とその水量に対して適量の金属イオンを溶出するのに必要なイオン溶出ユニット１００の駆動時間とを対比させた換算表をイオン溶出ユニット１００又は電源ユニット１０１の表面に形成しておくとよい。使用者はこの換算表に基づきタイマーを設定し、適正濃度の金属イオン含有水を生成することができる。
【手続補正５５】
【補正対象書類名】明細書
【補正対象項目名】０１５８
【補正方法】変更
【補正の内容】
【０１５８】
次に、本発明の抗菌処理装置について、図１１ないし図２９に基づいて説明する。
【手続補正５６】
【補正対象書類名】明細書
【補正対象項目名】０１５９
【補正方法】変更
【補正の内容】
【０１５９】
図１１は、本発明に係る抗菌処理装置２００を洗濯機１に適用した場合の当該抗菌処理装置２００の接続関係を模式的に示す説明図である。抗菌処理装置２００は、イオン溶出ユニット３００と、駆動ユニット４００とを備えている。
【手続補正５７】
【補正対象書類名】明細書
【補正対象項目名】０１９６
【補正方法】変更
【補正の内容】
【０１９６】
ここで、第２のホース２０３のホース本体は、第１のホース２０２のホース本体２１０に対応するものである。また、第２のホース２０３の第１接続部および第２接続部は、第１のホース２０２の第１接続部２１１または第２接続部２１２を構成する可動手段２２２のみで構成されている。したがって、第１のホース２０２とイオン溶出ユニット３００とを連通接続する場合と全く同様の方法により、可動手段２２２のワンタッチにより、第２のホース２０３とイオン溶出ユニット３００と容易に接続または分離することができるとともに、第２のホース２０３と洗濯機１とを容易に接続または分離することができる。
【手続補正５８】
【補正対象書類名】明細書
【補正対象項目名】０２７８
【補正方法】変更
【補正の内容】
【０２７８】
（４．駆動ユニット）
次に、駆動ユニット４００の詳細について説明する。
図２７（ａ）ないし図２７（ｄ）は、駆動ユニット４００の外観構成を示す平面図、正面図、側面図、背面図をそれぞれ示している。また、図２８は、駆動ユニット４００の内部の詳細な構成を示すブロック図である。なお、駆動ユニット４００の内部の基本的な回路構成は、図９で示した電源ユニット１０１の駆動回路１２０とほとんど同じである。
【手続補正５９】
【補正対象書類名】明細書
【補正対象項目名】０３４４
【補正方法】変更
【補正の内容】
【０３４４】
しかし、給水回数が１回目（メイン給水）および２回目（追加給水）となる洗い工程では電極３１１、３１２に電圧を印加せず、給水回数が３回目以降のとき、すなわち、次のすすぎ工程以降で電極３１１、３１２に電圧を印加して、電極３１１、３１２から金属イオンを溶出させることで、溶出した金属イオンが無駄となるのを回避することができ、金属イオンを有効利用することができる。また、洗濯物の汚れも洗い工程にてほぼ除去されているので、その後の金属イオン添加水の給水により、金属イオンを洗濯物に対して作用させやすくすることもできる。
【手続補正６０】
【補正対象書類名】明細書
【補正対象項目名】０３７３
【補正方法】変更
【補正の内容】
【０３７３】
以上、本発明につき説明したが、本発明の範囲はこれに限定されるものではなく、発明の主旨を逸脱しない範囲で種々の変更を加えて実施することができる。また本発明の抗菌処理装置は、本実施形態でとり上げたような形式の全自動洗濯機に使用対象が限定されるものではない。横型ドラム（タンブラー方式）、斜めドラム、乾燥機兼用のもの、又は二槽式など、あらゆる形式の洗濯機に使用可能である。
【手続補正６１】
【補正対象書類名】明細書
【補正対象項目名】０３７７
【補正方法】変更
【補正の内容】
【０３７７】
本発明の抗菌処理装置は野外に持ち出して使用することができるうえ、使用に特別な訓練を必要としない。そのため、水道施設が近くにないか、あっても使用不可となっているような場所、例えばキャンプサイト、災害現場、難民キャンプなどで本発明の抗菌処理装置を使用し、現地で手に入る水をその場で殺菌処理することができる。水の殺菌のみならず、その水を使って各種用品を抗菌処理することができるので、レジャーの場でも災害の場でも、一般人が広く活用し、置かれた環境に関わらず一定の衛生レベルを保つことが可能となる。
【手続補正６２】
【補正対象書類名】明細書
【補正対象項目名】０３８０
【補正方法】変更
【補正の内容】
【０３８０】
また、例えば、駆動ユニット４００が電極３１１、３１２への通電時間を設定するタイマーを備えている構成や、ユニット本体３０１の少なくとも一部が、内部の電極３１１、３１２を視認できる透視部となっている構成についても、実現することが可能である。
【手続補正６３】
【補正対象書類名】明細書
【補正対象項目名】図１
【補正方法】変更
【補正の内容】
【図１】
本発明の洗濯機の垂直断面図
【手続補正６４】
【補正対象書類名】明細書
【補正対象項目名】図７
【補正方法】変更
【補正の内容】
【図７】
イオン溶出ユニットの垂直断面図
【手続補正６５】
【補正対象書類名】明細書
【補正対象項目名】図８
【補正方法】変更
【補正の内容】
【図８】
イオン溶出ユニットの模型的水平断面図
【手続補正６６】
【補正対象書類名】明細書
【補正対象項目名】図１１
【補正方法】変更
【補正の内容】
【図１１】
本発明の抗菌処理装置を洗濯機に適用した場合の当該抗菌処理装置の接続関係を模式的に示す説明図